(57)【要約】第１周波数範囲で音声を放出するようにデザインされている少なくとも３つの第１音声放出ヘッド（１１）と、第２周波数範囲で音声を放出するようにデザインされている少なくとも１つの第２音声放出ヘッド（１３）とを含んでいるラウドスピーカであって、第１音声放出ヘッド（１１）は、仮想正多角形の頂角部にて互いに接近した状態で配置されており、それら頂角部の数は第１音声放出ヘッド（１１）の数と等しく、第２音声放出ヘッド（１３）は、仮想正多角形の幾何中心に接近した位置に配置されており、前記第１音声放出ヘッド（１１）は、それらの膨出側が聴者の方向に配向された円錐形ディフューザ（１４）を有しており、第１音声放出ヘッド（１１）の音声放出軸は、仮想正多角形の中心を通過する垂線に対して角度（α）で傾斜しており、その角度（α）は５°から２５°である。【選択図】図１
2018516032.tif 000002
【特許請求の範囲】
【請求項１】
第１周波数範囲で音声を放出するようにデザインされている少なくとも３つの第１音声放出ヘッドと、第２周波数範囲で音声を放出するようにデザインされている少なくとも１つの第２音声放出ヘッドとを含んでいるラウドスピーカであって、
第１音声放出ヘッドは、仮想正多角形の頂角部にて互いに接近した状態で配置されており、それら頂角部の数は第１音声放出ヘッドの数と等しく、
第２音声放出ヘッドは、前記仮想正多角形の幾何中心に接近した位置に配置されており、
前記第１音声放出ヘッドは、それらの膨出側が聴者の方向に配向された円錐形ディフューザを有しており、第１音声放出ヘッドの音声放出軸は、前記仮想正多角形の中心を通過する垂線に対して角度（α）で傾斜しており、その角度（α）は５°から２５°であることを特徴とするラウドスピーカ。
【請求項２】
第１音声放出ヘッドの数は４である、請求項１に記載のラウドスピーカ。
【請求項３】
第１音声放出ヘッドの音声放出軸は、本ラウドスピーカの前方の空間内の１点に向けられている、請求項１に記載のラウドスピーカ。
【請求項４】
第１音声放出ヘッドは円形開口部を有している、請求項１に記載のラウドスピーカ。
【請求項５】
前記第１周波数範囲は１０００Ｈｚまでである、請求項１に記載のラウドスピーカ。
【請求項６】
前記第２周波数範囲は４００Ｈｚ以上である、請求項１に記載のラウドスピーカ。
【発明の詳細な説明】
【技術分野】
【０００１】
本発明は音声再生装置の分野に関し、特にはラウドスピーカ（拡声式又は大音量のスピーカ）に関する。
【背景技術】
【０００２】
それぞれ特定の周波数範囲の音声を再生するようにデザインされている複数の音声放出ヘッド（スピーカヘッド）を含んだラウドスピーカ、例えば、１つが低周波用、１つが中周波用、そして１つが高周波用である３つの音声放出ヘッドを使用するレーディオテクニカ製のＡＣ−３５ラウドスピーカの使用は知られている。そのようなラウドスピーカの弱点は低感度、大きな位相歪み、および不均等な有角音響出力である。
【０００３】
ドナルド・Ｊ・ノースによる特許文献１に記述されている装置が知られており、これは、正方形の角部に位置する４つの低周波音声放出ヘッドと、それらの間に位置するさらに高い周波数範囲の追加のヘッドを使用する。
【０００４】
そのようなラウドスピーカの弱点はクロスオーバ（交差）周波数での不均等な有角音響出力である。
【０００５】
本願の技術的解決策に最も近いのは、クラウス・ハワードによる特許文献２の明細書に開示されている装置である。この装置は、少なくとも１つの高周波音声放出ヘッドと、その高周波音声放出ヘッドに対して対称的に１平面内に位置する複数の低周波音声放出ヘッドとを含んでいる。
【０００６】
そのようなラウドスピーカの弱点はクロスオーバ周波数での不均等な有角音響出力である。
【先行技術文献】
【特許文献】
【０００７】
【特許文献１】米国特許第６８０１６３１号明細書
【特許文献２】米国特許第４８８５７８２号明細書
【発明の概要】
【発明が解決しようとする課題】
【０００８】
本発明の目的の一つはそのような有角音響出力の特性の不均等性を減少させ、ラウドスピーカの音響の質を高めることにある。
【０００９】
本発明の他の目的は、ラウドスピーカのバンド数を減らし、位相歪みを減少させ、ラウドスピーカのハウジングの縦方向と横方向の共鳴を低減し、ラウドスピーカのボリュームディスプレースメント（押し退け量）を増加させ、ラウドスピーカの感度と音響出力を増加させることにある。
【課題を解決するための手段】
【００１０】
第１周波数範囲で音声を放出するように設計されている少なくとも３つの音声放出ヘッドと、第２周波数範囲で音声を放出するように設計されている少なくとも１つの第２音声放出ヘッドとを含んだラウドスピーカによってそのような技術的結果は達成され、これら第１音声放出ヘッドは互いに接近して、第１音声放出ヘッドの数に等しい角部数を有した仮想正多角形（virtual regular polygon）の頂角部に存在しており、この第２音声放出ヘッドは、その仮想多角形の幾何的中心に接近して存在する。それら第１音声放出ヘッドは、それらの膨出側（convex side）またはテーパ端部が聴者側に配向されている円錐形ディフューザ（拡音声装置）を有しており、第１音声放出ヘッドの放出軸は上記多角形の中心を通過する垂線に対して角度（α）で傾斜しており、その角度（α）は５°から２５°の範囲である。
【００１１】
低周波音声放出ヘッドのそのような構成はまず、それぞれの音響中心部を互い方向に接近させている。それら音声放出ヘッドの音響中心部の相互接近は、クロスオーバ周波数を増加させ、有角音響出力の歪みを減らし、ディフューザ上の音響負荷を増加させることを可能にする。ディフューザへの音響負荷の増加は信号の高周波成分の抑制に導き、信号の周波数分割における一次フィルタの使用を可能にし、さらに、それらフィルタによって導入される位相歪みを低減させる。続いて、音声放出ヘッドのこの構成は音声放出点音源にラウドスピーカの音声放出を接近させ、全方向での特性の均質性に貢献する。
【００１２】
第１音声放出ヘッドの数が３であること、あるいは、さらに好適には４であることが望ましい。そのような数の音声放出ヘッドでは、それらの音響中心部は互いに十分に接近しており、よって、ラウドスピーカの音声放出は音声放出点音源に接近しており、音声放出の空間特性の均質性が改善される。
【００１３】
好適には、第１音声放出ヘッドの音声放出軸は１点に向かって方向付けられている。これで、音波の集中性が改善され、信号の歪みが減少する。
【００１４】
第１音声放出ヘッドとして丸形開口部を備えたラウドスピーカヘッドを使用することが便利である。
【００１５】
好適には、第１周波数範囲の上限は１０００Ｈｚを超えない。第２周波数範囲の下限は４００Ｈｚ以上から選択される。そのような周波数範囲では、周波数範囲間のインターフェースは４００Ｈｚから８００Ｈｚであり、聴覚には最低限の影響を及ぼすだけである。
【図面の簡単な説明】
【００１６】
【図１】図１は、本発明ラウドスピーカの一般的外観である。
【図２】図２は、本発明ラウドスピーカの側面図である。
【図３】図３は、本発明ラウドスピーカの正面図である。
【図４】図４は、従来型ラウドスピーカの概略図である。
【図５】図５は、本発明ラウドスピーカの概略図である。
【図６】図６は、従来型ラウドスピーカの周波数応答である。
【図７】図７は、本発明ラウドスピーカの周波数応答である。
【図８】図８は、本発明ラウドスピーカの別実施例である。
【発明を実施するための形態】
【００１７】
図１から図３に図示するラウドスピーカは、４６ｃｍの直径を有した４つの低周波音声放出ヘッド（１１）を含んでいる。これら音声放出ヘッドは互いに接近した状態で、ラウドスピーカの中心部に対して１２°傾斜して剛体フレーム（１２）に取り付けられている。低周波音声放出ヘッド（１１）間のスペースにはブロードバンド音声放出ヘッド（１３）が設置されている。低周波音声放出ヘッド（１１）は、膨出側が聴者の方向に配向された円錐形ディフューザ（１４）を有する。従って、このラウドスピーカは音響方向性システムである。
【００１８】
そのラウドスピーカは円錐形ディフューザを備えた低周波音声放出ヘッドを使用する。そのような音声放出ヘッドでは音響中心部（１５）、すなわち音声放出中心部は、原則としてディフューザの円錐体内でその狭い部分近辺に、しばしばディフューザの開口部、すなわち、円錐体の広い端部から相当に離れて位置している。聴者に向かう開口部を備えた音声放出ヘッドの従来の構成では、音響中心部（１５）はその開口部の後方に位置する。従って、音声放出ヘッドが傾斜して、それらの音声放出軸が聴者の方向に向けられたときに、それらの音響中心部（１５）間の距離Ａは増加する。しかしラウドスピーカのさらに良い性能のためには、隣接する音声放出ヘッドの音響中心部（１５）間の距離は可能な限り小さいことが望ましい。従来型のラウドスピーカでは、この距離Ｄを音声放出ヘッドの直径より小さくすることはできない。本発明のラウドスピーカでは距離Ａは直径より短い。なぜなら、その音声放出ヘッドがラウドスピーカの中心部に向かって傾斜していると、それらの音響中心部（１５）は互い方向に接近するからである。
【００１９】
４０Ｈｚ未満の低周波数での圧力レベルもディフューザの直径に依拠する。このラウドスピーカでは、１６ｃｍ以上の直径の音声放出ヘッドを使用することが推奨される。
【００２０】
低周波数音声放出ヘッド（１１）のそのような構成は、それらの音響中心部（１５）を互いに接近させることを可能にする。音声放出ヘッド（１１）の音響中心部の相互接近は、クロスオーバ周波数を増加させ、有角音響出力の歪みを低減し、ディフューザの音響負荷を増加させることができる。ディフューザへの音響負荷の増加は、信号の高周波成分の抑制に導き、クロスオーバにおいて一次フィルタの使用を可能にし、それらフィルタによって導入される位相歪みを減少させる。
【００２１】
本発明のラウドスピーカは次のように機能する。再生された信号は５００Ｈｚの分離周波数で活性クロスオーバを通過し、続いて増幅され、それぞれの音声放出ヘッドにフィードされる。
【００２２】
比較のため、２つのラウドスピーカが、４６ｃｍの直径の４つの同じ低周波数音声放出ヘッドから、高周波音声放出ヘッドを使用することなく製造された。一方は従来デザインのラウドスピーカであり、他方は本発明のラウドスピーカであった。図５には高周波音声放出ヘッドのない本発明のラウドスピーカの概略図が図示されており、図４には中央部に対する傾斜なく１平面に取り付けられた同じ４つの低周波音声放出ヘッドを含んだ従来構造のラウドスピーカが概略的に図示されている。この場合、音声放出ヘッドの音響中心部間の最少可能距離Ａは音声放出ヘッドの直径と等しくなっている。
【００２３】
図６と図７には、ラウドスピーカの軸に対して３５°にて測定された中心部から２ｍの距離におけるＦＲＦ（周波数共鳴関数）が示されている。グラフに示されているように、本発明のラウドスピーカの周波数応答はその範囲の最上部においてさらに均等である。周波数応答の均等性の増加はラウドスピーカバンドの数を減らし、音声放出ヘッドの周波数範囲のさらにスムーズなマッチングに貢献する。
【００２４】
さらに均質な有角ＦＲＦの特性は、このデザインの大型音声放出ヘッドの使用を可能にし、ラウドスピーカ全体のボリュームディスプレースメント、感度および音響出力の増加を可能にする。
【００２５】
音声放出ヘッドの本発明の構成はラウドスピーカの音声放出を点音源からの音声放出に接近させ、全方向での特性の均等性に貢献する。
【００２６】
ハウジングおよび平行面が存在しないことで、ラウドスピーカのハウジングの寸法要素に関与する共鳴周波数の発生は最小限に抑えられる。
【００２７】
図８に図示する３つの低周波音声放出ヘッドを備えたラウドスピーカの一実施例は、低周波音声放出ヘッドの数においてのみ図１から図３に図示するラウドスピーカとは異なっている。３つの音声放出ヘッドを備えたラウドスピーカでは、音声放出ヘッドの音響中心部は４つの音声放出ヘッドを備えたラウドスピーカよりも互いに接近しており、ラウドスピーカの空間特性を改善しているが、低周波数でのその音声放出出力は多少低下している。
【００２８】
本発明は家庭での音声再生と音声スタジオでの音声再生の両方で使用が可能である。
【符号の説明】
【００２９】
１１  低周波数音声放出ヘッド（第１音声放出ヘッド）
１２  剛体フレーム
１３  ブロードバンド音声放出ヘッド（第２音声放出ヘッド）
１４  円錐形ディフューザ
１５  音響中心部
Ａ  （音響中心部１５間の）距離（最少可能距離）
【図１】
2018516032.tif 000003
【図２】
2018516032.tif 000004
【図３】
2018516032.tif 000005
【図４】
2018516032.tif 000006
【図５】
2018516032.tif 000007
【図６】
2018516032.tif 000008
【図７】
2018516032.tif 000009
【図８】
2018516032.tif 000010
【国際調査報告】
2018516032.tif 000011
2018516032.tif 000012